(57)【要約】【課題】入口用開口部を設けた入口用パネルを縦入口用と横入口用とで共用して、パネルの不要在庫を削減するとともにカプセルベッドの納期を短縮することにある。【解決手段】複数種類のパネル１，２，３，４の組み合わせによって天井面と壁面とを構成されるカプセルベッドにおいて、入口用開口部４ｃを設けられた入口用パネル４が他のパネル１，２，３と組み合わされる向きが、縦入口用と横入口用とで異なることを特徴とする、カプセルベッドである。【選択図】図１
2005248515.tif 000002
【特許請求の範囲】
【請求項１】
複数種類のパネル（１，２，３，４）の組み合わせによって天井面と壁面とを構成されるカプセルベッドにおいて、
入口用開口部（４ｃ）を設けられた入口用パネル（４）が他のパネル（１，２，３）と組み合わされる向きが、縦入口用と横入口用とで異なることを特徴とする、カプセルベッド。
【請求項２】
前記カプセルベッドは上方から見た縦横比が１：２であり、
前記複数種類のパネル（１，２，３，４）は全て、前記カプセルベッドの縦寸法に等しい幅を持つことを特徴とする、請求項１記載のカプセルベッド。
【請求項３】
前記複数種類のパネル（１，２，３，４）は、機能集約パネル（３）を含むことを特徴とする、請求項１または２記載のカプセルベッド。
【発明の詳細な説明】
【技術分野】
【０００１】
この発明は、カプセルホテルに用いられ、複数種類のパネルの組み合わせによって壁面と天井面とを構成されるるカプセルベッドに関するものである。
【背景技術】
【０００２】
従来の上述の如きカプセルベッドは通常、縦入口用と横入口用とがあり、例えば本願出願人が先に特許文献１にて公開したものでは、縦入口用と横入口用とで全体に同じパネル構成を用いるとともに異なる位置をカットして入口用開口部を設けることでそれらを作り分けている。
【特許文献１】特開平１１−１８２０７８号公報、図１、図１７
【発明の開示】
【発明が解決しようとする課題】
【０００３】
しかしながら、上記のようにするとパネルの種類が少なくなって好ましいものの、パネル形成後に縦入口用に入口用開口部を設けたパネルは横入口用には用いることができず、逆に横入口用に入口用開口部を設けたパネルは縦入口用には用いることができないという不都合があった。
【課題を解決するための手段】
【０００４】
この発明は、上記課題を有利に解決することを目的とするものであり、この発明のカプセルベッドは、複数種類のパネルの組み合わせによって天井面と壁面とを構成されるカプセルベッドにおいて、入口用開口部を設けられた入口用パネルが他のパネルと組み合わされる向きが、縦入口用と横入口用とで異なることを特徴とするものである。
【発明の効果】
【０００５】
かかるカプセルベッドによれば、縦入口用と横入口用とで異なる点は入口用開口部を設けられた入口用パネルが他のパネルと組み合わされる向きだけであり、入口用パネル自体は同一であるので、カットして入口用開口部を設けた入口用パネルを縦入口用と横入口用とで共用し得て、パネルの不要在庫を削減し得るとともにカプセルベッドの納期を短縮することができる。
【０００６】
なお、この発明のカプセルベッドにおいては、前記カプセルベッドの上方から見た縦横比が１：２であり、前記複数種類のパネルが全て、前記カプセルベッドの縦寸法に等しい幅を持つものであっても良い。このようにすれば、入口用パネル以外のパネルの幅寸法を入口用パネルと共通にできるので、パネルの製造コストを削減することができる。
【０００７】
また、この発明のカプセルベッドにおいては、前記複数種類のパネルが、鏡やラジオやライト等を持つ機能集約パネルを含むものであっても良い。このようにすれば、組立てたカプセルベッド内への付属設備の取り付けや電気配線等の工事を不要とし得て、カプセルベッドの納期をさらに短縮することができる。
【発明を実施するための最良の形態】
【０００８】
以下に、この発明の実施の形態を実施例によって、図面に基づき詳細に説明する。ここに、図１（ａ），（ｂ）は、この発明のカプセルベッドの一実施例を縦入口用と横入口用とについてそれぞれ示す斜視図、図２（ａ）〜（ｄ）は、その実施例のカプセルベッドの天井面と壁面とをそれぞれ構成するパネルを示す斜視図、図３は、縦入口用にパネルを組み合わせた上記実施例のカプセルベッドの分解斜視図、図４は、縦入口用にパネルを組み合わせた上記実施例のカプセルベッドの、天井用パネルを除いた平面図である。
【０００９】
この実施例のカプセルベッドは、カプセルホテルに用いられるものであって、各々繊維強化プラスティックで形成された、図２（ａ）に示す如き天井用パネル１と、図２（ｂ）に示す如き壁用通常パネル２と、図２（ｃ）に示す如き、機能集約パネルとしての壁用鏡パネル３と、図２（ｄ）に示す如き入口用パネル４との四種類のパネルの組み合わせによって壁面と天井面とを構成され、さらに図３に示す如き床用パネル５によって床面を構成されるものである。
【００１０】
ここで、床面用パネル５を除く各パネル１〜４は、周囲にフランジを有しており、天井用パネル１の三つの端部はパネル面に平行に延在する結合フランジ１ａを有し、パネル面の残る端部はパネル面に直角にカプセル外方へ突出した結合フランジ１ａを有している。また壁用通常パネル２と壁用鏡パネル３と入口用パネル４とについては、各パネル２〜４の上端部および左右側端部はパネル面に直角にカプセル外方へ突出する結合フランジ２ａ〜４ａを有しており、これら結合フランジ１ａ〜４ａには複数のボルト孔が明けられている。さらに、各パネル２〜４の下端部はパネル面に直角にカプセル内方へ突出するとともにコーナー部を切り欠かれた基礎受けフランジ２ｂ〜４ｂを有しており、それら基礎受けフランジ２ｂ〜４ｂには床パネル５を嵌め込むための段部が形成されている。
【００１１】
そして図２（ｃ）に示すように、壁用鏡パネル３のカプセル内方へ向くパネル面には、鏡３ｃと、時計やラジオやライト等を収納した機器収納部３ｄとが設けられており、また図２（ｄ）に示すように、入口用パネル４には、カプセル外方へ突出した枠状フランジの内側部分をカットして入口用開口部４ｃが設けられている。なお、床用パネル５は図３に示すように、カプセル内方へ向くパネル面が平坦になっている正方形のものである。
【００１２】
ここで、この実施例のカプセルベッドは上方から見た縦横比が１：２であり、上記五種類のパネル１〜５は全て、このカプセルベッドの縦寸法（幅）に実質的に等しい幅を持っている。すなわち、壁用通常パネル２と壁用鏡パネル３とは入口用パネル４の幅に等しい幅を持ち、天井用パネル１はパネル面に平行な結合フランジ１ａの部分を除いて入口用パネル４の幅に等しい幅と奥行きとを持っている。そして壁用通常パネル２と壁用鏡パネル３と入口用パネル４とは全て同じ高さを持ち、床用パネル５は幅と奥行きとが互いに等しくされている。
【００１３】
かかるパネル１〜５を組み合わせて、上記実施例のカプセルベッドを図１（ａ）に示す縦入口用に構成する際には、図３および図４に示すように、図では上側に二枚の天井用パネル１を配置し、左側に入口用パネル４、右側に壁用通常パネル２を配置し、さらに奥側に壁用通常パネル２と壁用鏡パネル３、手前側に二枚の壁用通常パネル２を配置する。
【００１４】
そして、上側の二枚の天井用パネル１についてはパネル面に直角にカプセル外方へ突出した結合フランジ１ａ同士を結合し、奥側の壁用通常パネル２と壁用鏡パネル３とは側端部の結合フランジ２ａ，３ａ同士を結合し、手前側の二枚の壁用通常パネル２はパネル面に直角にカプセル外方へ突出した側端部の結合フランジ２ａ同士を結合し、左側の入口用パネル４とそれに隣接する奥側および手前側の壁用通常パネル２とはパネル面に直角にカプセル外方へ突出した側端部の結合フランジ４ａ，２ａ同士を結合し、右側の壁用通常パネル２とそれに隣接する奥側の壁用鏡パネル３および手前側の壁用通常パネル２とについてもパネル面に直角にカプセル外方へ突出した側端部の結合フランジ２ａ，３ａ同士および２ａ同士を結合し、二枚の天井用パネル１とその下の六枚のパネル２〜４とは六枚のパネル２〜４のパネル面に直角にカプセル外方へ突出した上端部の結合フランジ２ａ〜４ａと二枚の天井用パネル１のパネル面に平行に延在する結合フランジ１ａとを結合する。
【００１５】
ここで、左側の入口用パネル４とそれに隣接する奥側および手前側の壁用通常パネル２とについてパネル面に直角にカプセル外方へ突出した側端部の結合フランジ４ａ，２ａ同士を結合し、右側の壁用通常パネル２とそれに隣接する奥側の壁用鏡パネル３および手前側の壁用通常パネル２とについてパネル面に直角にカプセル外方へ突出した側端部の結合フランジ２ａ，３ａ同士および２ａ同士を結合するには、例えば鋼製のアングル材６を介在させて結合する。そして、結合フランジ同士および結合フランジとアングル材６との結合は、例えば図３に示すように、ワッシャ８を挿通したボルト７にナット９を締結させることにより行うことができる。
【００１６】
さらに、上記のように結合したパネル１〜４の内側に二枚の床用パネル５を、例えば入口用開口部４ｃから斜めにして搬入する等により配置して、それらの床用パネル５をパネル２〜４の基礎受けフランジ２ｂ〜４ｂの段部の内側に嵌めこむ。また、上記のように結合したパネル１〜４は、例えば鋼製の枠状の基礎の上に基礎受けフランジ２ｂ〜４ｂ載置して固定する。そして、壁用鏡パネル３の時計やラジオやライト等について所要の配線を行うことで、縦入口用のカプセルベッドが構成される。
【００１７】
また、上記パネル１〜５を組み合わせて、上記実施例のカプセルベッドを図１（ｂ）に示す横入口用に構成する際には、上記の組立て手順において左側の入口用パネル４とそれに隣接する手前側の壁用通常パネル２との配置を入れ替えれば足りる。
【００１８】
従って、この実施例のカプセルベッドによれば、縦入口用と横入口用とで異なる点が、入口用開口部４ｃを設けられた入口用パネル４が他のパネルと組み合わされる向きだけであり、入口用パネル自体は同一であるので、カットして入口用開口部４ｃを設けた入口用パネル４を縦入口用と横入口用とで共用し得て、パネルの不要在庫を削減し得るとともにカプセルベッドの納期を短縮することができる。
【００１９】
しかもこの実施例のカプセルベッドによれば、カプセルベッドの上方から見た縦横比が１：２であり、四種類のパネル１〜４が全て、カプセルベッドの縦寸法に等しい幅を持つものであるので、入口用パネル４以外のパネル１，２，３の幅寸法を実質的に入口用パネル４と共通にし得て、パネルの製造コストを削減することができる。
【００２０】
そしてこの実施例のカプセルベッドによれば、複数種類のパネルが、鏡やラジオやライト等を持つ機能集約パネルとしての壁用鏡パネル３を含むので、組立てたカプセルベッド内への付属設備の取り付けや電気配線等の工事を不要とし得て、カプセルベッドの納期をさらに短縮することができる。
【００２１】
以上、図示例に基づき説明したが、この発明は上述の例に限定されるものでなく、例えば、上記実施例のカプセルベッドを上下二段に配置し、下段の天井用パネルの代わりに上段の基礎受けフランジ２ｂ〜４ｂを下段に連結する連結パネルを介挿することで上下の段を結合して、二階建てとすることもできる。また、パネル２〜４を各々、幅と高さとが略等しい正方形状のものとしても良い。
【産業上の利用可能性】
【００２２】
かくしてこの発明のカプセルベッドによれば、カットして入口用開口部を設けた入口用パネルを縦入口用と横入口用とで共用し得て、パネルの不要在庫を削減し得るとともにカプセルベッドの納期を短縮することができる。
【図面の簡単な説明】
【００２３】
【図１】（ａ），（ｂ）は、この発明のカプセルベッドの一実施例を縦入口用と横入口用とについてそれぞれ示す斜視図である。
【図２】（ａ）〜（ｄ）は、上記実施例のカプセルベッドの天井面と壁面とをそれぞれ構成するパネルを示す斜視図である。
【図３】縦入口用にパネルを組み合わせた上記実施例のカプセルベッドの分解斜視図である。
【図４】縦入口用にパネルを組み合わせた上記実施例のカプセルベッドの、天井用パネルを除いた平面図である。
【符号の説明】
【００２４】
１  天井用パネル
１ａ〜４ａ  結合フランジ    
１ｂ〜４ｂ  基礎受けフランジ    
２  壁用通常パネル
３  壁用鏡パネル
３ｃ  鏡
３ｄ  機器収納部
４  入口用パネル
４ｃ  入口用開口部
５  床面用パネル
６  アングル材
７  ボルト
８  ワッシャ
９  ナット
【図１】
2005248515.tif 000003
【図２】
2005248515.tif 000004
【図３】
2005248515.tif 000005
【図４】
2005248515.tif 000006